(57)【要約】【課題】作業者が作業台に乗った際にバランスが崩れることを抑制できるエスカレーターの作業用足場装置を提供する。【解決手段】エスカレーターの作業用足場装置は、エスカレーターの傾斜部において一対の手摺の上方にまたがるように配置される作業台と、前記作業台の一側に連結され、前記一対の手摺の一方を把持する一側把持体と、前記作業台の他側に連結され、前記一対の手摺の他方を把持する他側把持体と、を備えた。当該構成を備えることにより、作業者が作業台に乗った際にバランスが崩れることを抑制できる。【選択図】図２
2019069832.tif 000002
【特許請求の範囲】
【請求項１】
エスカレーターの傾斜部において一対の手摺の上方にまたがるように配置される作業台と、
前記作業台の一側に連結され、前記一対の手摺の一方を把持する一側把持体と、
前記作業台の他側に連結され、前記一対の手摺の他方を把持する他側把持体と、
を備えたエスカレーターの作業用足場装置。
【請求項２】
前記一側把持体は、
前記作業台の一側において前記エスカレーターの上部の側に連結され、前記一対の手摺の一方を把持する第１一側把持体と、
前記作業台の一側において前記エスカレーターの下部の側に連結され、前記一対の手摺の一方を把持する第２一側把持体と、
を備え、
前記他側把持体は、
前記作業台の他側において前記エスカレーターの上部の側に連結され、前記一対の手摺の他方を把持する第１他側把持体と、
前記作業台の他側において前記エスカレーターの下部の側に連結され、前記一対の手摺の他方を把持する第２他側把持体と、
を備えた請求項１に記載のエスカレーターの作業用足場装置。
【請求項３】
前記第１一側把持体と前記第２一側把持体とは、
前記エスカレーターの幅方向の内側および外側の一方から前記一対の手摺の一方を覆う一側本体と、
前記一側本体に対して前記一対の手摺の一方に沿って移動し得るように前記一側本体に連結され、前記一側本体に対して予め設定された距離だけ前記一対の手摺の一方に沿ってずれた位置においては前記一側本体に対して前記エスカレーターの幅方向の内側および外側の他方の側に回転し、前記一側本体に対して予め設定された距離だけ前記一対の手摺の一方に沿ってずれていない位置においては前記一側本体に対して前記エスカレーターの幅方向の内側および外側の他方の側に回転せずに前記エスカレーターの幅方向の内側および外側の他方の側から前記一対の手摺の一方を覆う一側移動体と、
を備え、
前記第１他側把持体と前記第２他側把持体とは、
前記エスカレーターの幅方向の内側および外側の一方から前記一対の手摺の他方を覆う他側本体と、
前記他側本体に対して前記一対の手摺の他方に沿って移動し得るように前記他側本体に連結され、前記他側本体に対して予め設定された距離だけ前記一対の手摺の他方に沿ってずれた位置においては前記他側本体に対して前記エスカレーターの幅方向の内側および外側の他方の側に回転し、前記他側本体に対して予め設定された距離だけ前記一対の手摺の他方に沿ってずれていない位置においては前記他側本体に対して前記エスカレーターの幅方向の内側および外側の他方の側に回転せずに前記エスカレーターの幅方向の内側および外側の他方の側から前記一対の手摺の他方を覆う他側移動体と、
を備えた請求項２に記載のエスカレーターの作業用足場装置。
【請求項４】
前記第１一側把持体と前記第２一側把持体とは、
前記一側本体の下側にねじ込まれ、前記一対の手摺の一方の内側および内側の一方を下側から押し付ける第１一側締結体と、
前記一側移動体の下側にねじ込まれ、前記一対の手摺の一方の内側および外側の他方を下側から押し付ける第２一側締結体と、
を備え、
前記第１他側把持体と前記第２他側把持体とは、
前記他側本体の下側にねじ込まれ、前記一対の手摺の他方の内側および外側の一方を下側から押し付ける第１他側締結体と、
前記他側移動体の下側にねじ込まれ、前記一対の手摺の他方の内側および外側の他方を下側から押し付ける第２他側締結体と、
を備えた請求項３に記載のエスカレーターの作業用足場装置。
【請求項５】
前記一側本体は、前記エスカレーターの幅方向の内側および外側の一方の側から前記一対の手摺の一方を把持し、
前記一側移動体は、前記一側本体に対して予め設定された距離だけ前記一対の手摺の一方に沿ってずれていない位置においては前記エスカレーターの幅方向の内側および外側の他方の側から前記一対の手摺の一方を把持し、
前記他側本体は、前記エスカレーターの幅方向の内側および外側の一方の側から前記一対の手摺の他方を把持し、
前記他側移動体は、前記他側本体に対して予め設定された距離だけ前記一対の手摺の他方に沿ってずれていない位置においては前記エスカレーターの幅方向の内側および外側の他方の側から前記一対の手摺の他方を把持する請求項３に記載のエスカレーターの作業用足場装置。
【請求項６】
前記エスカレーターの上部の側において前記作業台と前記エスカレーターのステップとの間に掛けられる梯子、
を備えた請求項１から請求項５のいずれか一項に記載のエスカレーターの作業用足場装置。
【請求項７】
前記梯子の下部に設けられ、前記エスカレーターのステップに形成された穴に挿入される脚、
を備えた請求項６に記載のエスカレーターの作業用足場装置。
【発明の詳細な説明】
【技術分野】
【０００１】
この発明は、エスカレーターの作業用足場装置に関する。
【背景技術】
【０００２】
特許文献１は、エスカレーターの作業用足場装置を開示する。作業員は、当該作業用足場装置の作業台に乗ってエスカレーターの天井への作業を行うことができる。
【先行技術文献】
【特許文献】
【０００３】
【特許文献１】特開平１１−１４７６８４号公報
【発明の概要】
【発明が解決しようとする課題】
【０００４】
しかしながら、特許文献１に記載の作業用足場装置は、一対の手摺の一方に固定される。このため、作業者が作業台に乗った際にバランスが崩れることもある。
【０００５】
この発明は、上述の課題を解決するためになされた。この発明の目的は、作業者が作業台に乗った際にバランスが崩れることを抑制できるエスカレーターの作業用足場装置を提供することである。
【課題を解決するための手段】
【０００６】
この発明に係るエスカレーターの作業用足場装置は、エスカレーターの傾斜部において一対の手摺の上方にまたがるように配置される作業台と、前記作業台の一側に連結され、前記一対の手摺の一方を把持する一側把持体と、前記作業台の他側に連結され、前記一対の手摺の他方を把持する他側把持体と、を備えた。
【発明の効果】
【０００７】
この発明によれば、作業台は、一側把持体と他側把持体とを介して一対の手摺にまたがって把持される。このため、作業者が作業台に乗った際にバランスが崩れることを抑制できる。
【図面の簡単な説明】
【０００８】
【図１】この発明の実施の形態１におけるエスカレーターの作業用足場装置が適用されるエスカレーターの構成図である。
【図２】この発明の実施の形態１におけるエスカレーターの作業用足場装置の正面図である。
【図３】この発明の実施の形態１におけるエスカレーターの作業用足場装置の側面図である。
【図４】この発明の実施の形態１におけるエスカレーターの作業用足場装置の要部の側面図である。
【図５】図４のＡ方向からの矢視図である。
【図６】この発明の実施の形態１におけるエスカレーターの作業用足場装置の梯子の要部の正面図である。
【図７】この発明の実施の形態２におけるエスカレーターの作業用足場装置の要部の矢視図である。
【図８】この発明の実施の形態２におけるエスカレーターの作業用足場装置の要部の斜視図である。
【図９】この発明の実施の形態２におけるエスカレーターの作業用足場装置の要部の斜視図である。
【図１０】この発明の実施の形態２におけるエスカレーターの作業用足場装置の要部の斜視図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１はこの発明の実施の形態１におけるエスカレーターの作業用足場装置が適用されるエスカレーターの構成図である。
【００１１】
図１において、エスカレーターは、隣接階にまたがる。下部乗降口１は、隣接階のうちの下方階に設けられる。上部乗降口２は、隣接階のうちの上方階に設けられる。
【００１２】
複数のステップ３は、下部乗降口１と上部乗降口２との間に設けられる。複数のステップ３は、無端状に設けられる。
【００１３】
一対のスカートガード４の一方は、複数のステップ３の一側に隣接する。一対のスカートガード４の他方は、複数のステップ３の他側に隣接する。一対の欄干５の一方は、一対のスカートガード４の一方の上部に固定される。一対の欄干５の他方は、一対のスカートガード４の他方の上部に固定される。
【００１４】
一対の案内レール６の一方は、一対の欄干５の一方の上部に設けられる。一対の案内レール６の他方は、一対の欄干５の他方の上部に設けられる。一対の手摺７の一方は、無端状に形成される。一対の手摺７の一方は、一対の案内レール６の一方に案内される。一対の手摺７の他方は、無端状に形成される。一対の手摺７の他方は、一対の案内レール６の他方に案内される。
【００１５】
エスカレーターの設定が上昇運転の設定となっている場合、下部乗降口１は乗り口となる。上部乗降口２は降り口となる。エスカレーターが上昇運転を開始すると、複数のステップ３と一対の手摺７とは、同期して移動する。
【００１６】
エスカレーターの設定が下降運転の設定となっている場合、上部乗降口２は乗り口となる。下部乗降口１は降り口となる。エスカレーターが下降運転を開始すると、複数のステップ３と一対の手摺７とは、同期して移動する。
【００１７】
作業員は、エスカレーターの天井への作業を行う際に作業用足場装置８を利用する。例えば、作業員は、照明を取り付けたり交換したりする際に作業用足場装置８を利用する。
【００１８】
次に、図２と図３とを用いて、作業用足場装置８を説明する。
図２はこの発明の実施の形態１におけるエスカレーターの作業用足場装置の正面図である。図３はこの発明の実施の形態１におけるエスカレーターの作業用足場装置の側面図である。
【００１９】
図２に示されるように、作業用足場装置８は、作業台９と一側把持体１０と他側把持体１１と柵１２と梯子１３を備える。
【００２０】
例えば、作業台９は、矩形状に形成される。作業台９は、エスカレーターの傾斜部において一対の手摺７の上方にまたがるように配置される。一側把持体１０は、作業台９の一側に連結される。一側把持体１０は、一対の手摺７の一方を把持する。他側把持体１１は、作業台９の他側に連結される。他側把持体１１は、一対の手摺７の他方を把持する。柵１２は、作業台９において乗客コンベアの幅方向の両側と下側との縁部に設けられる。柵１２は、折り畳み自在に設けられる。梯子１３は、エスカレーターの上部の側において作業台９と図２においては図示されないステップ３との間に掛けられる。梯子１３は、折り畳み自在に設けられる。
【００２１】
図３に示されるように、一側把持体１０は、第１一側把持体１４と第２一側把持体１５を備える。
【００２２】
第１一側把持体１４は、作業台９においてエスカレーターの上部の側の一側に連結される。第１一側把持体１４は、一対の手摺７の一方を把持する。第２一側把持体１５は、作業台９においてエスカレーターの下部の側の一側に連結される。第２一側把持体１５は、一対の手摺７の一方を把持する。
【００２３】
図示されないが、他側把持体１１は、一側把持体１０の第１一側把持体１４と同等の第１他側把持体を備える。他側把持体１１は、一側把持体１０の第２一側把持体１５と第２他側把持体を備える。
【００２４】
第１一側把持体１４は、第２一側把持体１５よりも高い。第１他側把持体は、第２他側把持体よりも高い。その結果、作業台９の上面は、水平面となる。
【００２５】
次に、図４と図５とを用いて、第１一側把持体１４と第２一側把持体１５とを説明する。
図４はこの発明の実施の形態１におけるエスカレーターの作業用足場装置の要部の側面図である。図５は図４のＡ方向からの矢視図である。
【００２６】
図４に示されるように、第１一側把持体１４は、一対の手摺７の一方を覆うように把持する。
【００２７】
図５に示されるように、第１一側把持体１４は、一側本体１６と一側移動体１７と第１一側締結体１８と第２一側締結体１９と第１一側緩衝体２０ａと第２一側緩衝体２０ｂと第３一側緩衝体２０ｃとを備える。
【００２８】
一側本体１６は、エスカレーターの幅方向の内側および外側の一方の側から一対の手摺７の一方を覆う。
【００２９】
一側移動体１７は、一側本体１６に対して一対の手摺７の一方に沿って移動し得るように一側本体１６に連結される。一側移動体１７は、一側本体１６に対して予め設定された距離だけ一対の手摺７の一方に沿ってずれた位置においては一側本体１６に対してエスカレーターの幅方向の内側および外側の他方の側に回転する。一側移動体１７は、一側本体１６に対して予め設定された距離だけ一対の手摺７の一方に沿ってずれていない位置においては一側本体１６に対してエスカレーターの幅方向の内側および外側の他方の側に回転せずにエスカレーターの幅方向の内側および外側の他方の側から一対の手摺７の一方を覆う。
【００３０】
第１一側締結体１８は、一側本体１６の下側にねじ込まれる。第１一側締結体１８は、一対の手摺７の一方の内側および外側の一方を下側から押し付ける。
【００３１】
第２一側締結体１９は、一側移動体１７の下側にねじ込まれる。第２一側締結体１９は、一対の手摺７の一方の内側および外側の他方を下側から押し付ける。
【００３２】
例えば、第１一側緩衝体２０ａは、ゴムで形成される。第１一側緩衝体２０ａは、第１一側締結体１８の先端に設けられる。第１一側緩衝体２０ａは、第１一側締結体１８がねじ込まれた際に一対の手摺７の一方の下側に押し付けられる。
【００３３】
例えば、第２一側緩衝体２０ｂは、ゴムで形成される。第２一側緩衝体２０ｂは、第２一側締結体１９の先端に設けられる。第２一側緩衝体２０ｂは、第２一側締結体１９がねじ込まれた際に一対の手摺７の一方の下側に押し付けられる。
【００３４】
例えば、第３一側緩衝体２０ｃは、ゴムで形成される。第３一側緩衝体２０ｃは、一側本体１６の上部の下面に設けられる。第３一側緩衝体２０ｃは、一対の手摺７の一方の上側に押し付けられる。
【００３５】
図示されないが、第２一側把持体１５は、第１一側把持体１４の一側本体１６と同等の
一側本体を備える。第２一側把持体１５は、第１一側把持体１４の一側移動体１７と同等の一側移動体を備える。第２一側把持体１５は、第１一側把持体１４の第１一側締結体１８と同等の第１一側締結体を備える。第２一側把持体１５は、第１一側把持体１４の第２一側締結体１９と同等の第２一側締結体を備える。第２一側把持体１５は、第１一側把持体１４の第１一側緩衝体２０ａと同等の第２一側緩衝体を備える。第２一側把持体１５は、第１一側把持体１４の第２一側緩衝体２０ｂと同等の第２一側緩衝体を備える。第２一側把持体１５は、第１一側把持体１４の第３一側緩衝体２０ｃと同等の第３一側緩衝体を備える。
【００３６】
次に、図６を用いて、梯子１３の固定方法を説明する。
図６はこの発明の実施の形態１におけるエスカレーターの作業用足場装置の梯子の要部の正面図である。
【００３７】
図６に示されるように、脚１３ａは、梯子１３の下部に設けられる。例えば、脚１３ａは、円柱状に形成される。脚１３ａは、ステップ３に形成された穴に挿入される。例えば、脚１３ａは、ステップ３が取り外される際にレンチが挿入されるために形成された穴に挿入される。
【００３８】
以上で説明した実施の形態１によれば、作業台９は、一側把持体１０と他側把持体１１とを介して一対の手摺７にまたがって把持される。このため、作業者が作業台９に乗った際にバランスが崩れることを抑制できる。
【００３９】
また、一対の手摺７の一方は、第１一側把持体１４と第２一側把持体１５とで把持される。一対の手摺７の他方は、第１他側把持体と第２他側把持体とで把持される。このため、作業用足場装置を安定した状態で設置することができる。
【００４０】
具体的には、第１一側把持体１４と第２一側把持体１５とは、締結体で一対の手摺７の一方を把持する。第１他側把持体と第２他側把持体とは、締結体で一対の手摺７の他方を把持する。このため、簡単な構成で作業用足場装置を設置することができる。
【００４１】
また、梯子１３は、エスカレーターの上部の側において作業台９とステップ３との間に掛けられる。このため、作業員は、簡単に作業台９に移動することができる。
【００４２】
また、梯子１３において、脚１３ａは、ステップ３に形成された穴に挿入される。このため、梯子１３を安定した状態で掛けることができる。
【００４３】
また、柵１２は、作業台９において乗客コンベアの幅方向の両側と下側との縁部に設けられる。このため、作業員の安全性を確保することができる。
【００４４】
なお、一側本体１６と一側移動体１７とを蝶番で連結してもよい。他側本体と他側移動体とを蝶番で連結してもよい。この場合も、締結体を用いれば、作業用足場装置を設置することができる。
【００４５】
実施の形態２．
図７はこの発明の実施の形態２におけるエスカレーターの作業用足場装置の要部の矢視図である。図８から図１０はこの発明の実施の形態２におけるエスカレーターの作業用足場装置の要部の斜視図である。なお、実施の形態１と同一または相当部分には、同一符号が付される。当該部分の説明は省略される。
【００４６】
図７に示されるように、実施の形態２の第１一側把持体１４は、第１一側締結体１８と第２一側締結体１９と第１一側緩衝体２０ａと第２一側緩衝体２０ｂと第３一側緩衝体２０ｃとを備えない。実施の形態２の第１一側把持体１４は、第４一側緩衝体２０ｄを備える。
【００４７】
例えば、第４一側緩衝体２０ｄは、ゴムで形成される。第４一側緩衝体２０ｄは、一対の手摺７の一方を全体的に覆う。
【００４８】
一側本体１６は、エスカレーターの幅方向の内側および外側の一方の側から第４緩衝体２０を介して一対の手摺７の一方を把持する。
【００４９】
一側移動体１７は、一側本体１６に対して予め設定された距離だけ一対の手摺７の一方にずれていない位置においてはエスカレーターの幅方向の内側および外側の他方の側から一対の手摺７の一方を把持する。
【００５０】
図示されないが、実施の形態２の第２一側把持体１５は、実施の形態２の第１一側把持体１４の一側本体１６と同等の一側本体を備える。実施の形態２の第２一側把持体１５は、実施の形態２の第１一側把持体１４の一側移動体１７と同等の一側移動体を備える。実施の形態２の第２一側把持体１５は、実施の形態２の第１一側把持体１４の第４一側緩衝体２０ｄと同等の第４一側緩衝体を備える。
【００５１】
実施の形態２の他側把持体１１は、実施の形態２の一側把持体１０の第１一側把持体１４と同等の第１他側把持体を備える。実施の形態２の他側把持体１１は、実施の形態２の一側把持体１０の第２一側把持体１５と同等の第２他側把持体を備える。
【００５２】
図８と図９とに示されるように、一側本体１６と一側移動体１７とは、内部空間を形成する。当該内部空間は、楔状に形成される。例えば、当該内部空間の幅は、図９における手前側から奥側に向けて狭くなる。
【００５３】
図１０に示されるように、第４一側緩衝体２０ｄの外形は、楔状に形成される。例えば、第４一側緩衝体２０ｄの幅は、図１０における手前側から奥側に向けて狭くなる。
【００５４】
以上で説明した実施の形態２によれば、第１一側把持体１４と第２一側把持体１５とは、締結体を用いることなく一対の手摺７の一方を把持する。第１他側把持体と第２他側把持体とは、締結体を用いることなく一対の手摺７の他方を把持する。このため、より簡単な構成で作業用足場装置を設置することができる。
【００５５】
また、一側本体１６と一側移動体１７とに形成された内部空間は、楔状に形成される。第４一側緩衝体２０ｄの外形は、楔状に形成される。このため、一対の手摺７の一方に対して一側把持体１０をより強固に固定することができる。
【００５６】
なお、図示されないが、他側本体と他側移動体とに形成された内部空間も、楔状に形成される。他側本体と他側移動体とに対応させる第４他側緩衝体の外形も、楔状に形成される。このため、一対の手摺７の他方に対して他側把持体１１をより強固に固定することができる。
【符号の説明】
【００５７】
１  下部乗降口、  ２  上部乗降口、  ３  ステップ、  ４  スカートガード、  ５  欄干、  ６  案内レール、  ７  手摺、  ８  作業用足場装置、  ９  作業台、  １０  一側把持体、  １１  他側把持体、  １２  柵、  １３  梯子、  １３ａ  脚、  １４  第１一側把持体、  １５  第２一側把持体、  １６  一側本体、  １７  一側移動体、  １８  第１一側締結体、  １９  第２一側締結体、  ２０ａ  第１一側緩衝体、  ２０ｂ  第２一側緩衝体、  ２０ｃ  第３一側緩衝体、  ２０ｄ  第４一側緩衝体
【図１】
2019069832.tif 000003
【図２】
2019069832.tif 000004
【図３】
2019069832.tif 000005
【図４】
2019069832.tif 000006
【図５】
2019069832.tif 000007
【図６】
2019069832.tif 000008
【図７】
2019069832.tif 000009
【図８】
2019069832.tif 000010
【図９】
2019069832.tif 000011
【図１０】
2019069832.tif 000012